(57)【要約】【課題】読取モジュールと読取モジュールを制御する制御装置とをコネクタを介して接続する際に、コネクタの端子数を増やすことなく、接続不良を検出することを目的とする。【解決手段】読取モジュールのコネクタにおいて、光源点灯用の電源端子部と画像信号出力端子部とを、複数の端子の配設方向における一端近傍と他端近傍に配置する。そして、接続不良検出装置において、Ｓ０３で読取モジュールを基準信号取得に用いる白板の対向する位置に移動させ、Ｓ０４で、白板に光を照射し、Ｓ０４で画像信号出力端子部から出力される黒レベルの画像信号のデータを取得し、Ｓ０５で、白レベルの画像信号のデータＷ１を取得し、Ｓ０６でＷ１を所定値Ｘと比較して接続不良を検出する。検出後は、Ｓ０７で不良内容を表示する。【選択図】  図３
2004215177.tif 000002
【特許請求の範囲】
【請求項１】
原稿上の画像を読み取るために前記原稿に光を照射する光源と前記原稿からの反射光を前記画像の画像信号に変換する光電変換部とを備えた読取モジュールであって、
前記読取モジュールは、該読取モジュールを制御する制御装置に備えられた装置コネクタと電気的に接続されるコネクタを備え、
前記コネクタは、複数の端子が同一方向に並べて配置され、該複数の端子は、前記画像信号を前記制御装置に出力するための画像信号出力端子部と、前記制御装置から供給される光源点灯用の電力を前記読取モジュールに入力するための電源端子部と、
を備え、
前記電源端子部が複数の端子の配設方向における一端近傍に配置され、前記画像信号出力端子部が複数の端子の配設方向における他端近傍に配置されている、
ことを特徴とする読取モジュール。
【請求項２】
前記電源端子部と前記画像信号出力端子部は、前記複数の端子の最も外側にそれぞれ配置されていることを特徴とする請求項１に記載の読取モジュール。
【請求項３】
前記画像信号出力端子部は、複数の色の信号を出力するために、複数の画像信号出力端子からなり、該複数の画像信号出力端子の何れか一つが前記コネクタにおける複数の端子の最も外側に配置されていることを特徴とする請求項１に記載の読取モジュール。
【請求項４】
請求項１乃至請求項３の何れか一つに記載の読取モジュールを備え、該読取モジュールと該読取モジュールを制御する制御装置とを接続するコネクタの接続不良検出装置であって、
前記読取モジュールの感度のバラツキを補正するための基準となる、白レベルと黒レベルの画像信号を別々に前記読取モジュールで検出し、前記コネクタの画像信号出力端子部から出力される前記白レベルの画像信号の電圧値と黒レベルの画像信号の電圧値との差を取得する出力信号取得手段と、
前記出力信号取得手段が取得した差に基づいて、前記コネクタの接続不良の有無を検出する接続不良検出手段と、
を備えることを特徴とする接続不良検出装置。
【請求項５】
接続不良検出手段は、前記差が、コネクタの接続不良を検出するために予め定められた所定値より小さい場合には、接続不良であることを検出する請求項４に記載の接続不良検出装置。
【請求項６】
前記出力信号取得手段は、画像信号出力端子部から出力される電圧値を増幅する増幅手段を備え、該増幅手段により、増幅された該白レベルの電圧値と増幅された黒レベルの電圧値との差を取得して、前記接続不良検出手段は、前記差を予め定められた所定置と比較することを特徴とする請求項４に記載の接続不良検出装置。
【請求項７】
前記出力信号取得手段は、
画像信号出力端子部から出力される出力電圧を増幅し、利得を第１のゲインと第２のゲインに切り換えが可能な増幅手段と、
前記増幅手段の利得を第１のゲインに設定して出力電圧を取り込むことによって、白レベルと黒レベルの電圧値の差を第１出力信号電圧差として取得する第１の出力信号取得手段と、
前記増幅手段の利得を第２のゲインに設定して出力電圧を取り込むことによって、白レベルと黒レベルの電圧値の差を第２出力信号電圧差として取得する第２の出力信号取得手段と、
を備え、
前記接続不良検出手段は、前記第１の出力信号取得手段で取得した前記第１出力信号電圧差と、前記第２の出力信号取得手段で取得した前記第２出力信号電圧差との差を予め定められた所定値と比較して、前記コネクタの接続不良の有無を検出することを特徴とする請求項４に記載の接続不良検出装置。
【請求項８】
請求項１乃至請求項３の何れか記載の読取モジュールを備え、該読取モジュールと該読取モジュールを制御する制御装置とを接続するコネクタの接続不良検出方法であって、
前記読取モジュールによって感度のバラツキを補正するための基準となる白レベルと黒レベルの画像信号を別々に検出し、前記コネクタの画像信号出力端子部から出力される白レベルの電圧値と黒レベルの電圧値との差を取得し、
前記取得した差に基づいて、前記コネクタの接続不良の有無を検出する、
ことを特徴とする接続不良検出方法。
【請求項９】
前記差が、コネクタの接続不良を検出するために予め定められた所定値より小さい場合には、接続不良であることを検出する請求項８に記載の接続不良検出方法。
【請求項１０】
前記コネクタの画像信号出力端子部から出力される出力信号の電圧値を増幅する増幅手段を用い、該増幅手段により増幅された該白レベルの電圧値と増幅された黒レベルの電圧値との差を取得して、前記接続不良検出手段を用い、前記差を予め定められた所定置と比較することすることを特徴とする請求項８又は請求項９に記載の接続不良検出方法。
【請求項１１】
前記画像信号出力端子部から出力される出力電圧を増幅し、利得を第１のゲインと第２のゲインに切り換えが可能な増幅手段を用い、
前記増幅手段の利得を第１のゲインに設定して出力電圧を取り込むことによって、白レベルと黒レベルの電圧値の差を第１出力信号電圧差として取得し、
前記増幅手段の利得を第２のゲインに設定して出力電圧を取り込むことによって、白レベルと黒レベルの電圧値の差を第２出力信号電圧差として取得し、
前記第１出力信号電圧差と前記第２出力信号電圧差との差を予め定められた所定値と比較し、前記コネクタの接続不良の有無を検出することを特徴とする請求項８に記載の接続不良検出方法。
【発明の詳細な説明】
【０００１】
【発明の属する技術分野】
本発明は、光学像を検出するために光源と光電変換素子とを備えた読取モジュールと、読取モジュールと読取モジュールを制御する制御装置とを接続するコネクタの接続不良検出装置及び検出方法に関する。
【０００２】
【従来の技術】
従来、コピー機やファクシミリ、スキャナなどにおいては、原稿から画像を読み取るための読取モジュールを備えており、この読取モジュールは、原稿に光を照射する光源と、原稿からの反射光を画像信号に変換する光電変換素子とを備えている。さらに上述の各種機器は、この読取モジュールの動作を制御するための制御装置をも備えており、読取モジュールと制御装置とは、それぞれが備える各コネクタをケーブルで電気的に接続されている。
【０００３】
ところで、コネクタを介して制御装置と読取モジュールとを接続する構成では、コネクタの接続不良が発生すると、正常な電気信号を制御装置に出力できなくなったり、読取モジュールの制御を正常に行うことが出来なくなったりする、いわゆる誤動作を生じる虞があるので、読取モジュールに備えられたコネクタと制御装置に備えられたコネクタとの接続は、高信頼性が要求される。
【０００４】
そこで、例えば、回路基板間を接続する一対のコネクタ間の接続不良を検出するために、コネクタに備えられた複数の端子の両端に第１の接地端子と第２の接地端子とを配設するとともに複数の端子の中間部に共通接地端子を配設し、回路機器内に備えた電位差比較部によって、第１の接地端子と共通接地端子の電位差、第２の接地端子と共通接地端子の電位差を検出し、両者の電位差に基づいて接続不良を検出するものがある。つまり、雄コネクタと雌コネクタとからなる一対のコネクタは、互いに傾いた状態で挿入されると、第１の接地端子と共通接地端の電位差と、第２の接地端子と共通接地端子の電位差とに変化が生じるので、両者の電位差を検出することによって一対のコネクタ間の接続不良を検出しようとするものである（例えば、特許文献１参照）。
【０００５】
また、例えばカメラヘッドなどの読取モジュールとＣＰＵとをコネクタによって接続するビデオカメラにおいて、一対のコネクタ間の接続不良を検出するために、カメラヘッドとＣＰＵとの本来の動作を制御するための入出力端子の他に、コネクタ間の接続不良を検出するための検出端子を更に配設し、この検出端子を流れる電流を検知することによって、接続不良を検出するものもある（例えば、特許文献２参照）。
【０００６】
【特許文献１】
特開２００１−１４２７９７号公報（第３−４頁、第１−４図）
【特許文献２】
特開平６−３３９０５１号公報（第２−３頁、第１−３図）
【０００７】
【発明が解決しようとする課題】
しかしながら、特許文献１に開示された、コネクタ間接続不良の検出方法によれば、コネクタにおいて、回路機器の本来の動作信号を入出力するための入出力端子のほかに、コネクタの接続不良を検出するための第一接地端子、第二接地端子、共通接地端子等を配設する必要があるので、コネクタの端子数が多くなり、コネクタ及びコネクタが接続されるスペースの小型化が困難になるという問題があった。
【０００８】
また、特許文献２に開示された、ビデオカメラにおけるコネクタの接続不良の検出方法においても、コネクタの接続不良を検出するために、カメラヘッドとＣＰＵとの本来の動作を制御するための入出力端子の他に、コネクタの接続不良を検出するための検出端子を更に配設する必要があるので、コネクタやコネクタを備えるためのスペースの小型化が困難になるという問題があった。
【０００９】
本発明は、こうした問題に鑑みなされたもので、読取モジュールと読取モジュールを制御する制御装置とを電気的に接続するために、読取モジュールに備えられたコネクタと装置間の接続不良を検出し、制御装置や読取モジュールの誤動作を抑制し、高信頼性を得るとともに、コネクタの接続不良を検出するための端子数を増やすことなく、コネクタを備えるためのスペースの小型化ができ、且つ、電気的接続の高信頼性を得ることができる、読取モジュールと読取モジュールの接続不良検出装置及び接続不良検出方法を提供することを目的とする。
【００１０】
【課題を解決するための手段及び発明の効果】
かかる目的を達成するためになされた請求項１記載の発明は、原稿上の画像を読み取るために前記原稿に光を照射する光源と前記原稿からの反射光を前記画像の画像信号に変換する光電変換部とを備えた読取モジュールであって、前記読取モジュールは、該読取モジュールを制御する制御装置に備えられた装置コネクタと電気的に接続されるコネクタを備え、前記コネクタは、複数の端子が同一方向に並べて配置され、該複数の端子は、前記画像信号を前記制御装置に出力するための画像信号出力端子部と、前記制御装置から供給される光源点灯用の電力を前記読取モジュールに入力するための電源端子部とを備え、前記電源端子部が複数の端子の配設方向における一端近傍に配置され、前記画像信号出力端子部が複数の端子の配設方向における他端近傍に配置されている、ことを特徴とする。
【００１１】
請求項１に記載の読取モジュールによれば、読取モジュールに備えられたコネクタと装置コネクタとの接続において、互いに複数の端子の配設方向に傾き不完全な状態で挿入され、接続不良が生じた際に、読取モジュールの画像信号出力端子部から出力される画像信号を確認することによりコネクタ間の接続不良を検出でき、信頼性が優れた電気的接続を得ることができる。つまり、光源点灯用の電源端子部と画像信号出力端子部とを複数の端子の一端近傍と他端近傍に配置すれば、読取モジュールのコネクタが装置コネクタに対して傾いて挿入されて接続不良が生じた際に、画像信号出力端子部から出力される画像信号が変化しやすいので、この画像信号を検知することで接続不良を検出できる。また、読取モジュールが本来の画像を読み取るために必要な画像信号出力端子部および電源端子部を用いて接続不良を検出することができ、接続不良を検出するための新たな端子を付加する必要がなく、コネクタやコネクタを配設するスペースの小型化ができる。
【００１２】
次に、請求項２に記載の発明は、請求項１に記載の読取モジュールにおいて、前記電源端子部と前記画像信号出力端子部は、前記複数の端子の最も外側にそれぞれ配置されていることを特徴とする。
請求項２に記載の読取モジュールによれば、電源端子部と画像信号出力端子部が、複数の端子の最も外側に配置されているので、読取モジュールのコネクタが制御装置の装置コネクタに対して、複数の端子群の配設方向に傾き、互いの挿入が不完全となって接続不良が生じた際に、画像信号の出力が最も変化し易いので、コネクタの接続不良をより確実に検出できる。
【００１３】
次に、請求項３に記載の発明は、請求項１に記載の読取モジュールにおいて、前記画像信号出力端子部は、複数の色の信号を出力するために、複数の画像信号出力端子からなり、該複数の画像信号出力端子の何れか一つが前記コネクタにおける複数の端子の最も外側に配置されていることを特徴とする。
【００１４】
請求項３に記載の読取モジュールによれば、複数の画像信号出力端子の何れか一つが前記コネクタにおける複数の端子の最も外側に配置されているので、最も外側に配置されている画像信号出力端子から出力される画像信号の変化を検出することにより、接続不良を確実に検出できる。
【００１５】
次に、請求項４に記載の発明は、請求項１乃至請求項３の何れか一つに記載の読取モジュールを備え、該読取モジュールと該読取モジュールを制御する制御装置とを接続するコネクタの接続不良検出装置であって、前記読取モジュールの感度のバラツキを補正するための基準となる白レベルと黒レベルの画像信号を別々に検出し、前記コネクタの画像信号出力端子部から出力される前記白レベルの画像信号の電圧値と黒レベルの画像信号の電圧値との差を取得する出力信号取得手段と、前記出力信号取得手段が取得した差に基づいて、前記コネクタの接続不良の有無を検出する接続不良検出手段とを備えることを特徴とする。
【００１６】
請求項４に記載の接続不良検出装置によれば、コネクタの画像信号出力端子から出力される白レベル及び黒レベルの電圧値の差を取得し、この電圧値の差に基づいてコネクタの接続不良の有無を検出するので、読取モジュールのコネクタが制御装置の装置コネクタに対して、複数の端子の配設方向に傾き、互いの挿入が不完全となって接続不良が生じた際に、コネクタの接続不良を容易に検出できる。つまり、電源端子部と画像信号出力端子部を複数の端子の一端近傍と他端近傍に配置することによって、画像信号出力端子部から出力される出力信号の電圧が変化し易いので、コネクタの傾きによる接続不良を容易に検出できる。また、画像を読み取るために必要な画像信号出力端子部および電源端子部を用いてコネクタの接続不良を検出することができ、接続不良を検出するための端子を新たに付加する必要がないので、生産性も優れている。
【００１７】
次に、請求項５に記載の発明は、請求項４に記載の接続不良検出装置において、前記接続不良検出手段は、前記差が、コネクタの接続不良を検出するために予め定められた所定値より小さい場合には、接続不良であることを検出すことを特徴とする。
【００１８】
請求項５に記載の接続不良検出装置によれば、コネクタの接続不良が生じた場合には、白レベルの電圧値と黒レベルの電圧値との差が小さくなるので、コネクタの接続不良を検出するために予め備えられた所定値より小さい場合に、コネクタタの接続不良として検出すればよい。
【００１９】
次に、請求項６に記載の発明は、請求項４に記載の接続不良検出装置において、前記出力信号取得手段は、画像信号出力端子部から出力される電圧値を増幅する増幅手段を備え、該増幅手段により、増幅された該白レベルの電圧値と増幅された黒レベルの電圧値との差を取得して、前記接続不良検出手段は、前記差を予め定められた所定置と比較することを特徴とする。
【００２０】
請求項６に記載の接続不良検出装置によれば、コネクタの画像信号出力端子から出力される白レベルと黒レベルの出力電圧を増幅して取得するので、白レベルの電圧値と黒レベルの電圧値の差が比較し易くなり、コネクタの接続不良を容易に検出できる。
【００２１】
次に、請求項７に記載の発明は、請求項４に記載の接続不良検出装置において、前記出力信号取得手段は、画像信号出力端子部から出力される出力電圧を増幅し、利得を第１のゲインと第２のゲインに切り換えが可能な増幅手段と、前記増幅手段の利得を第１のゲインに設定して出力電圧を取り込むことによって、白レベルと黒レベルの電圧値の差を第１出力信号電圧差として取得する第１の出力信号取得手段と、前記増幅手段の利得を第２のゲインに設定して出力電圧を取り込むことによって、白レベルと黒レベルの電圧値の差を第２出力信号電圧差として取得する第２の出力信号取得手段とを備え、前記接続不良検出手段は、前記第１の出力信号取得手段で取得した前記第１出力信号電圧差と、前記第２の出力信号取得手段で取得した前記第２出力信号電圧差との差を予め定められた所定値と比較して、前記コネクタの接続不良の有無を検出することを特徴とする。
【００２２】
請求項７に記載の接続不良検出装置によれば、コネクタの接続不良が発生すると、コネクタの画像信号出力端子から出力される白の画像と黒の画像の出力信号の電圧差は、ゲインを変化させても正常時に較べ変化が少ないので、相異なるゲインで取得した第１出力信号電圧差と第２出力信号電圧差とを予め定められた所定値と比較することによって、コネクタの傾きによる接続不良を検出できる。
【００２３】
次に、請求項８に記載の発明は、請求項１乃至請求項３の何れか記載の読取モジュールを備え、該読取モジュールと該読取モジュールを制御する制御装置とを接続するコネクタの接続不良検出方法であって、前記読取モジュールによって感度のバラツキを補正するための基準となる白レベルと黒レベルの画像信号を別々に検出し、前記コネクタの画像信号出力端子部から出力される白レベルの電圧値と黒レベルの電圧値との差を取得し、前記取得した差に基づいて、前記コネクタの接続不良の有無を検出することを特徴とする。
【００２４】
請求項８に記載の接続不良検出方法によれば、コネクタの画像信号出力端子から出力される白レベル及び黒レベルの電圧値の差を取得し、この電圧値の差に基づいてコネクタの接続不良の有無を検出するので、読取モジュールのコネクタが制御装置の装置コネクタに対して、複数の端子の配設方向に傾き、互いの挿入が不完全となって接続不良が生じた際に、コネクタの接続不良を容易に検出できる。つまり、電源端子部と画像信号出力端子部を複数の端子群の一端近傍と他端近傍に配置することによって、画像信号出力端子部から出力される出力信号の電圧が変化し易いので、コネクタの傾きによる接続不良を容易に検出できる。また、画像を読み取るために必要な画像信号出力端子部および電源端子部を用いてコネクタの接続不良を検出することができ、接続不良を検出するための端子を新たに付加する必要がないので、生産性も優れている。
【００２５】
次に、請求項９に記載の発明は、請求項８に記載の接続不良検出方法において、前記差が、コネクタの接続不良を検出するために予め定められた所定値より小さい場合には、接続不良であることを検出することを特徴とする。
請求項９に記載の接続不良検出方法によれば、コネクタの接続不良が生じた場合には、白レベルの電圧値と黒レベルの電圧値との差が小さくなるので、コネクタの接続不良を検出するために予め定められた所定値より小さい場合に、コネクタタの接続不良として検出すれば、コネクタの接続不良を検出できる。
【００２６】
次に、請求項１０に記載の発明は、請求項８又は請求項９に記載の記載の接続不良検出方法において、前記コネクタの画像信号出力端子部から出力される出力信号の電圧値を増幅する増幅手段を用い、該増幅手段により増幅された該白レベルの電圧値と増幅された黒レベルの電圧値との差を取得して、前記接続不良検出手段を用い、前記差を予め定められた所定置と比較することすることを特徴とする。
【００２７】
請求項１０に記載の接続不良検出方法によれば、コネクタの画像信号出力端子部から出力される白レベルと黒レベルの出力電圧を増幅して取得するので、白レベルの電圧値と黒レベルの電圧値の差が比較し易くなり、コネクタの接続不良を容易に検出できる。
【００２８】
次に、請求項１１に記載の発明は、請求項８に記載の接続不良検出方法において、前記画像信号出力端子部から出力される出力電圧を増幅し、利得を第１のゲインと第２のゲインに切り換えが可能な増幅手段を用い、前記増幅手段の利得を第１のゲインに設定して出力電圧を取り込むことによって、白レベルと黒レベルの電圧値の差を第１出力信号電圧差として取得し、前記増幅手段の利得を第２のゲインに設定して出力電圧を取り込むことによって、白レベルと黒レベルの電圧値の差を第２出力信号電圧差として取得し、前記第１出力信号電圧差と前記第２出力信号電圧差との差を予め定められた所定値と比較し、前記コネクタの接続不良の有無を検出することを特徴とする。
【００２９】
請求項１１に記載の接続不良検出方法によれば、コネクタの接続不良が発生すると、コネクタの画像信号出力端子部から出力される白レベルと黒レベルの出力電圧の差は、ゲインを変化させても正常時に較べ変化が少ないので、相異なるゲインで取得した第１出力信号電圧差と第２出力信号電圧差を比較することによって、コネクタの傾きによる接続不良を検出できる。
【００３０】
【発明の実施の形態】
以下、本発明の読取モジュールを図面と共に説明する。
図１は本発明が適用された読取モジュールの構成を表すブロック図、図２は読取モジュールの動作を制御する制御装置のブロック図、図３は同制御装置のＣＰＵにて実行される接続不良の検出処理手順を表すフローチャート、図４は図３の検出処理手順で実行されるモード設定処理の詳細を表すフローチャート、図５は図３の検出処理手順で実行されるエラー処理の詳細を表すフローチャート、図６は図３の変形例の、ＣＰＵにて実行される接続不良の検出処理を表すフローチャート、図７は本実施例の制御装置を備えた多機能装置７１の画像読取部の構成を表す図である。
【００３１】
図１において、読取モジュール１は、原稿上の画像を読み取るために前記原稿に光を照射する光源２と、例えばＣＣＤ（Ｃｈａｒｇｅ  Ｃｏｕｐｌｅｄ  Ｄｅｖｉｃｅ）など、原稿から受けた反射光を画像の画像信号に変換するための光電変換部３と、読取モジュール１を制御する制御装置（図２中の符号５１）と電気的に接続するためのコネクタ４とを備えている。
【００３２】
また、読取モジュール１は、光源２を発光させるために、コネクタ４を介して制御装置（図２中の符号５１）から入力された直流電流を交流電流に変換するインバータ５と、光電変換部３に所定の動作をさせるために、コネクタ４を介して制御装置（図２中の符号５１）から入力された制御信号を、光電変換部３の動作信号に補正するバッファ６と、を備えている。
【００３３】
光源２は、例えば冷陰極管（ＣＣＦＬ；Ｃｏｌｄ  Ｃａｔｈｏｄｅ  Ｆｌｕｏｒｅｓｃｅｎｔ  Ｌａｍｐ）など、インバータ５を介して印加された電流により発光するものである。
次に、光電変換部３は、カラー画像を検出するために、シリコン基板上に光の３原色、赤（Ｒ）、緑（Ｇ）、青（Ｂ）のそれぞれの色フィルタをつけた感光素子（例えば、フォトダイオード）が多数並んで構成されており、光源２より原稿に照射され、原稿で反射された反射光を受光して３原色Ｒ、Ｇ、Ｂの信号電荷として蓄積し、この光の強さに応じた光のエネルギを電荷に変換（光電変換）し、制御装置（図２中の符号５１）からの指令信号に基づき、コネクタ４の画像信号出力端子を介して制御装置（図２中の符号５１）に出力している。また、読取モジュール１は、光源のムラや光路のノイズなどによって読み取る画像の明るさにバラツキが発生するので、そのバラツキを補正する必要がある。ＣＣＤには光電変換素子に光がはいらないようにマスキングしたＬｉｇｈｔ  Ｓｈｉｅｌｄ領域があり、ここで読み取った画像信号を、黒レベルのデータ（電圧値）とし、マスキングがなく光を検知する領域で読み取った画像信号を白レベルのデータ（電圧値）とし、それぞれ、コネクタ４の画像信号出力端子１７、１９、２１から出力できるように構成されている。そして、バラツキの補正は、基準となる白板を読み取った時の画像信号を記憶しておき、そのデータをもとに原稿を読み取った時に得られる画像信号を補正して行われる。
【００３４】
次に、コネクタ４は、図１に示すように複数の端子２２が同一方向に並べて配置されている。
また、複数の端子２２は、制御装置（図２中の符号５１）から供給され、光源２点灯用の電力を読取モジュール１に入力するための電源端子８とそのグランド端子９、光電変換部３の動作を制御する制御信号が入力される制御信号端子１０とそのグランド端子１１、バッファ６を動作させるため制御装置（図２中の符号５１）から５Ｖの電力が供給される電源端子１２とそのグランド端子１３、光電変換部３を動作させるため制御装置（図２中の符号５１）から１２Ｖの電力が供給される電源端子１４とそのグランド端子１５、光電変換部３によって変換された原稿の反射光の青（Ｂ）、緑（Ｇ）、赤（Ｒ）の画像信号を出力する画像信号出力端子１７、１９、２１とそのグランド端子１６、１８、２０、によって構成されている。
【００３５】
また、光源２点灯用の電源端子８は複数の端子２２の配置方向における一方の端部の最も外側に配置され、青（Ｂ）、緑（Ｇ）、赤（Ｒ）の画像信号を出力する画像信号出力端子１７、１９、２１のうちの１つの画像信号出力端子である画像信号出力端子２１は、複数の端子２２の配置方向における他方の端部の最も外側に配置されている。
【００３６】
そして、このコネクタ４は、読取モジュール１の動作を制御する制御装置（図２中の符号５１）に備えられた装置コネクタ（図２中の符号６１）に相挿入されることにより、コネクタ４の複数の端子２２が装置コネクタ（図２中の符号６１）に備えられた複数の端子と、それぞれ電気的に接続される。
【００３７】
次に、図２を用いて、本発明の読取モジュール１の制御装置について説明する。図２は、本発明が適用された実施例の、読取モジュール１の制御装置の内部構成を含む多機能装置の概略構成を表すブロック図である。
図２における本実施例の制御装置５１は、読取モジュール１とともに図７に示す多機能装置７１内に備えられている。多機能装置７１はコピー機能、スキャナ機能、ファクシミリ機能などの各種機能を備えた情報機器である。但し、図７は上述した通り、多機能装置７１の画像読取に関連する部分のみを表したものである。制御装置５１は、多機能装置７１全体の動作を制御するとともに、読取モジュール１に備えられたコネクタ４と装置コネクタ６１との接続不良をも検出するものである。
【００３８】
図７に示すように、多機能装置７１は、光源２と、ミラー７３とを含む読取モジュール１、原稿Ｐの読取面となるガラス３５、原稿Ｐを１頁ずつ分離搬送するＡＤＦ（Ａｕｔｏ  Ｄｏｃｕｍｅｎｔ  Ｆｅｅｄｅｒ）７５、ＡＤＦ７５によって送られる原稿Ｐを読取モジュール１を固定して読み取る際の読取面となるガラス３５ａ、原稿Ｐを載置して、読取モジュール１を移動させながら読取る際の読取面となるガラス３５ｂ、ガラス３５ａ、３５ｂを保持するカバー７２、原稿Ｐを押さえる原稿押さえカバー７４、読み取った画素データの補正のための基準信号取得に用いる白板６３などで構成されている。
【００３９】
図２に示すように、制御装置５１は、画像を読み取るための読取モジュール１と、読取モジュール１からの出力をデジタル信号に変換し、シリアルデータとして出力するＡＦＥ（Ａｎａｌｏｇ  Ｆｒｏｎｔ  Ｅｎｄ）５２とを備えている。このＡＦＥ５２は、後述するオフセット調整、ゲイン調整、Ａ／Ｄ変換等を行う。
【００４０】
また、制御装置５１は、所謂ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）６０で構成され、ＡＳＩＣ６０内に、ＡＦＥ５２、メモリ制御部５４等の動作を制御する読取制御部５３と、画像データの書き込み制御と画像データの読取制御を行うメモリ制御部５４と、制御装置５１の全体の動作を制御するＣＰＵ５５とを備えている。また、制御装置５１は、画像データを記録するためにメモリ制御部５４に接続されたＲＡＭ５６と、ＣＰＵ５５の各種設定情報を記憶させておくためにＣＰＵ５５に接続されたＥＥＰＲＯＭ５７を備えている。
【００４１】
また、制御装置５１は、上述した通り、多機能装置７１内に備えられており、読取モジュール１によって読み取った画像データに基づいて、記録媒体に画像を形成したり、他の通信機器に画像データを送信したりすることができるように、多機能装置７１の動作を制御する記録制御部５８や、通信動作を制御する通信制御部５９等を備えている。
【００４２】
読取モジュール１のコネクタ４は、制御装置５１の所定の回路に接続されたケーブル６２の先端に接続された装置コネクタ６１を挿入可能に形成され、これら両コネクタ４及び６１を互いに嵌合することにより、コネクタ４の複数の端子２２が装置コネクタ６１の複数の端子（図示せず）と電気的に接続される。そして、読取モジュール１は、制御装置５１から入力される光源２を点灯する電源や読取モジュール１を制御する制御信号によって、原稿上の画像に光を照射し、原稿からの反射光を画像信号（電圧）に変換し、この画像信号（電圧）をコネクタ４、装置コネクタ６１、ケーブル６２等を介して制御装置５１内に入力する。
【００４３】
次に、ＡＦＥ５２は、アナログ信号をデジタル信号に変換するＡ／Ｄ変換部を備え、読取制御部５３からの指令信号に基づいて、読取モジュール１から出力された画像信号（電圧）を、デジタルの画素データに変換し、その画素データを読取制御部５３に入力する。また、ＡＦＥ５２は、読取モジュール１から出力された画像信号（電圧）を所定の利得で増幅する増幅器５２ａを備え、読取制御部５３からの制御により利得が所定の値に設定可能となっている。
【００４４】
本実施例では、ＡＦＥ５２に備えた増幅器５２ａによって、本発明の増幅手段の機能が発現される。
次に、読取制御部５３は、読取モジュール１の動作を制御する制御信号を、コネクタ４を介して読取モジュール１に入力し、且つ、ＡＦＥ５２に対して読取モジュール１から入力された画像信号（電圧）のオフセット調整や利得調整を行うように制御するとともに、ＡＦＥ５２によってデジタル変換された画像データをメモリ制御部５４に入力する。
【００４５】
次に、メモリ制御部５４は、読取制御部５３から入力される画素データを順次ＲＡＭ５６の所定領域に書き込むと共に、ＣＰＵ５５からの指令に従って、ＲＡＭ５５に記憶されている画素データを読み出し、その画素データをＣＰＵ５５に送る。
【００４６】
次に、ＣＰＵ５５は、ＲＡＭ５６、ＥＥＰＲＯＭ５７とともに制御装置５１の動作を制御するマイクロコンピュータとして構成され、読取モジュール１に備えられたコネクタ４と装置コネクタ６１との接続不良を検出するためのプログラムが備えられ、このプログラムに基づいてコネクタ４と装置コネクタ６１との接続を検出する。また、ＣＰＵ５５は、読取モジュール１の位置を原稿上の画像に対して相対的に移動させることが出来るように、読取モジュール１を移動させるための駆動装置（図示されず）の駆動動作をも制御している。
【００４７】
尚、光源のムラや光路のノイズなどによって読取モジュール１が読み取る画像の明るさにバラツキが発生するので、多機能装置７１には画素データを補正するための基準信号取得に用いる白板６３が備えられている。また、接続不良が検出されたときに、接続不良をメッセージする表示器６４が備えられている。
【００４８】
次に、ＣＰＵ５５が行う接続不良検出処理手順を、図３、図４、図５に基づいて説明する。
本発明の接続不良検出装置及び接続不良検出方法は、図３〜図５に説明されている手順で接続不良を検出するＣＰＵ５５の動作によって実現される。尚、フローチャート中のＳは、ステップを表す。
【００４９】
この接続不良検出処理手順は、ユーザが、パネルやキーボード等からなる操作パネル６５などのインタフェイスを介して半挿しチェックを指示したときに図３のフローチャートに示す制御手順が開始される。
まず、Ｓ０１で、ＣＰＵ５５内部の変数や読取モジュール１内部の変数を初期化する。
【００５０】
次いで、Ｓ０２で、検出モードを設定する。この検出モードの設定は、図４のフローチャートに示す手順で行われる。
即ち、Ｓ１０１で、読取モジュール１のデバイスの画像信号出力チャンネル数（ｃｈ数）が複数であるか否かを判定する。この際、複数であるか否かの情報を表す情報値が予め、ＥＥＰＲＯＭ５７に入力されているので、ＣＰＵ５５は、ＥＥＰＲＯＭ５７からその情報値を取得し、読取モジュール１のデバイスの画像信号出力チャンネル数（ｃｈ数）が複数であるか否かを判定する。そして、Ｓ１０１でＮＯの場合には、Ｓ１０２に移り、モード２、即ち画像信号出力チャンネルが１つであるモードを設定する。
【００５１】
また、Ｓ１０１で、ＹＥＳの場合は、Ｓ１０３に移りモード１、即ち画像信号出力チャンネルが複数であるモードを設定する。
こうして、検出モードの設定が行われると、次に、図３におけるＳ０３で、読取モジュール１を、予め多機能装置７１内に備えられた、基準信号取得に用いる白板６３に所定の間隔で対向する位置に移動させる。
【００５２】
次いで、Ｓ０４で、白板６３での反射光を、読取モジュール１の光電変換素子に光が入らないようにマスキングしたＬｉｇｈｔ  Ｓｈｉｅｌｄ領域に備えた光電変換素子によって読み取り、この際に画像信号出力端子１７、１９、２１から出力される画像信号（電圧）を黒レベルのデータとしてＡＦＥ５２内に取得する。即ち、光源２を点灯させた状態で、マスキングした領域の光電変換素子により黒レベルのデータを取得するのである。尚、取得する黒レベルデータは、１つでよい。
【００５３】
次いで、Ｓ０５で、ＡＦＥ５２内に取得した黒レベルのデータにより画像信号のオフセット調整を行い、白板６３での反射光を、読取モジュール１におけるマスキングがなく光を検知する領域で読み取り、この際に画像信号出力端子１７、１９、２１から出力される画像信号（電圧）をＡＦＥ５２内に取得し、ＡＦＥ５２内に備えた増幅器５２ａによって、所定のゲインまで増幅し、白レベルのデータとして取得する。尚、白レベルデータを増幅した場合は、再度黒レベルデータも同じゲインで増幅するオフセット調整を行う。黒レベルデータと異なり、白レベルデータは読取範囲の１ライン分全ての画素に関するデータである。
【００５４】
本実施例では、Ｓ０３〜Ｓ０５によって、本発明の出力信号取得手段の機能が発現される。
次いで、Ｓ０６で、白レベルのデータＷ１を、接続不良を検出するために予め定められた所定電圧値Ｘと比較し接続不良の有無を判定する。
【００５５】
本実施例では、Ｓ０６によって、本発明の接続不良検出手段の機能が発現される。
次いで、Ｓ０６で、白レベルのデータが所定電圧値Ｘ以上のときは、即ち、全画素分の白レベルデータのうち、例えば３分の２以上とか４分の３以上のデータが所定電圧値Ｘ以上のときは、接続不良検出装置は装置コネクタ６１とコネクタ４との間には接続不良がなく、正常な画像の読取ができると判断するので、Ｓ０８に移り、ユーザからの指令信号が外部のインタフェイスを介して入力されるまで、待機状態を維持する。
【００５６】
尚、Ｓ０４〜Ｓ０６は、Ｓ０２でモード１が設定されたときは、読取モジュール１の画像信号出力端子１７、１９、２１毎に、それぞれから出力される画像信号を用いて実施され、Ｓ０２でモード２が設定されたときは、読取モジュール１の最も外側の画像信号出力端子２１から出力される画像信号を用いて実施される。
【００５７】
また、Ｓ０６で、白レベルのデータが所定電圧値Ｘより小さいときは、即ち、全画素分の白レベルデータのうち、例えば３分の１や４分の１より多いデータが所定電圧値Ｘより小さいときは、接続不良検出装置は、装置コネクタ６１とコネクタ４との間には接続不良があると判断するので、Ｓ０７に移り、エラー処理を行う。このエラー処理は、図５のフローチャートに示す手順で行われる。
【００５８】
即ち、ステップＳ２１０で、Ｓ０２で設定された検出モードの設定情報を取得することによってモード２が設定されているときは、Ｓ２２０に移り、エラーを表示する表示器６４によって、読取モジュール１のコネクタ４における、光源２の電源端子８部又は最も外側に配置された画像信号出力端子２１部の接続不良である旨をメッセージする表示を行う。
【００５９】
また、ステップＳ０２で設定された検出モードの設定情報を取得することによって、モード１が設定されているときは、ステップ２３０に移り、不良な画像信号を出力した画像信号出力チャンネル数（ｃｈ数）が１チャンネルであるか２チャンネル又は３チャンネルであるか判定を行う。尚、モード１の場合は、Ｓ０４〜Ｓ０６を、画像信号出力端子１７、１９、２１から出力される画像信号毎に実施しているので、Ｓ０６で不良となった画像信号を出力した画像信号出力チャンネル数（ｃｈ数）を検出できる。
【００６０】
読取モジュール１のコネクタ４における、画像信号出力端子１７、１９、２１のうち、不良な画像信号を出力した画像信号出力チャンネル数（ｃｈ数）が１チャンネルであるときは、Ｓ２５０に移る。
次いで、Ｓ２５０で、Ｓ２２０と同様に、エラーを表示する表示器６４によって、読取モジュール１のコネクタ４における、最も外側に配置された画像信号出力端子２１部の接続不良である旨をメッセージする表示を行う。複数の画像信号出力チャンネルのうち、１つのチャンネルのみ不良な画像信号を出力しているので、光源の電源端子３８に異常はないと考えられるからである。
【００６１】
また、Ｓ２３０で、読取モジュール１のコネクタ４における、画像信号出力端子１７、１９、２１のうち、不良な画像信号を出力した画像信号出力チャンネル数（ｃｈ数）が２チャンネル又は３チャンネルであるときは、Ｓ２４０に移る。
次いで、Ｓ２４０で、不良な画像信号を出力した画像信号出力チャンネル数（ｃｈ数）が２チャンネルであるときは、エラーを表示する表示器６４によって、読取モジュール１のコネクタ４における、画像信号出力端子１９部及び画像信号出力端子２１部の接続不良である旨をメッセージする表示を行う。また、画像信号出力端子１７、１９、２１のうち、不良な画像信号を出力した画像信号出力チャンネル数（ｃｈ数）が３チャンネルであるときは、エラーを表示する表示器６４によって、光源２の電源端子８部の接続不良である旨をメッセージする表示を行う。
【００６２】
このようにして、図３のフローチャートにおける、Ｓ０７のエラー処理を行い、ＣＰＵ５５による、接続不良を検出する制御処理手順を終える。
以下に、前記の実施形態の、読取モジュール１と、接続不良検出装置及び接続不良検出方法の作用効果を記載する。
【００６３】
実施形態の読取モジュール１によれば、光源２の電源端子８を複数の端子２２の一端近傍に配置し、画像信号出力端子１７、１９、２１を他端近傍に配置しているので、読取モジュール１のコネクタ４が制御装置５１の装置コネクタ６１に対して挿入された際に、複数の端子２２の配設方向に傾いて挿入され、互いの挿入が不完全となって接続不良が生じた際に、画像信号出力端子１７、１９、２１から出力される画像信号の出力を確認することで、コネクタ４と装置コネクタ６１との電気的な接続不良を検出できる。また、読取モジュール１によって本来の画像を読み取るために必要な画像信号出力端子部１７、１９、２１および光源２の点灯用の電源端子８を用いてコネクタ４の接続不良を検出することができ、コネクタ４と制御装置５１の装置コネクタ６１間の接続不良を検出するための、新たな端子を付加する必要がないので、コネクタ４やコネクタ４を配設するスペースの小型化ができ、生産性も優れている。
【００６４】
さらに、実施形態の読取モジュール１によれば、画像信号出力端子１７、１９、２１のうち、何れか一つ（画像信号出力端子２１）を、複数の端子２２の最も外側に配置しているので、読取モジュール１のコネクタ４が制御装置５１の装置コネクタ６１に対して、複数の端子２２の配設方向に傾き、互いの挿入が不完全となって接続不良が生じた際に、画像信号出力端子２１の画像信号の出力が変化し易く、この画像信号の出力が変化に基づいてコネクタ４と装置コネクタ６１との接続不良をより確実に検出できる。
【００６５】
また、実施形態の接続不良検出装置及び接続不良検出方法によれば、コネクタ４の画像信号出力端子１７、１９、２１から出力される白レベル及び黒レベルの電圧値の差を取得し、この電圧値の差に基づいてコネクタ４と装置コネクタ６１との接続不良の有無を検出するので、読取モジュール１のコネクタ４が制御装置の装置コネクタ６１に対して、複数の端子２２の配設方向に傾き、互いの挿入が不完全となって接続不良が生じた際に、接続不良を容易に検出できる。つまり、電源端子８部と画像信号出力端子１７、１９、２１部を複数の端子２２の一端近傍と他端近傍に配置することによって、画像信号出力端子１７、１９、２１から出力される画像信号の電圧が変化し易いので、コネクタ４の傾きによる接続不良を容易に検出できる。また、画像を読み取るために必要な画像信号出力端子１７、１９、２１部および電源端子８部を用いて接続不良を検出することができ、接続不良を検出するための端子を新たに付加する必要がないので、生産性も優れている。
（変形例）
次に、図６のフローチャートを用い、ＣＰＵ５５が行う接続不良検出処理手順の変形例を説明する。尚、図３に表した実施例のフローチャートと共通する部分については、詳細な説明を省き、特徴となる部分を、以下に説明する。
【００６６】
ユーザが、パネルやキーボード等からなる操作パネル６５などのインタフェイスを介して半挿しチェックを指示したときに図６のフローチャートに示す制御手順が開始される。
次いで、Ｓ３１０で、ＣＰＵ５５内部の変数や読取モジュール１内部の変数を初期化する。
【００６７】
次いで、Ｓ３２０で、検出モードを設定する。この検出モードの設定は、図４のフローチャートに示す手順で行われる。
次いで、Ｓ３３０で、読取モジュール１を、予め制御装置５１内に備えられた、基準信号取得に用いる白板６３に所定の間隔で対向する位置に移動させる。
【００６８】
次いで、３４０で、読取制御部５３を介して、ＡＦＥ５２内に備えた増幅器を介して、画像信号出力端子１７、１９、２１から出力される出力電圧の利得を第１のゲイン（ここでは、ゲインが１である）に設定する。
次いで、Ｓ３５０で、白板６３での反射光を、読取モジュール１の光電変換素子に光がはいらないようにマスキングした（Ｌｉｇｈｔ  Ｓｈｉｅｌｄ）領域に備えた光電変換素子によって読み取り、この際に画像信号出力端子１７、１９、２１から出力される画像信号の電圧を黒レベルのデータとしてＡＦＥ５２内に取得する。即ち、光源２を点灯させた状態で、マスキングした領域の光電変換素子により黒レベルのデータを取得するのである。尚、取得する黒レベルデータは、１つでよい。
【００６９】
次いで、Ｓ３６０で、ＡＦＥ５２内に取得した黒レベルのデータによりオフセット調整を行い、白板６３での反射光を、読取モジュール１におけるマスキングがなく光を検知する領域で読み取り、この際に画像信号出力端子１７、１９、２１から出力される画像信号の電圧をＡＦＥ５２内に白レベルのデータＨ１（黒レベルのデータによりオフセット調整をした後に、白レベルのデータを取得するため、所謂、この白レベルのデータＨ１が、結果として、白レベルと黒レベルの、画像信号の電圧値の差を表す第１出力信号電圧差である）として取得する。尚、黒レベルデータと異なり、白レベルデータは読取範囲の１ライン分全ての画素に関するデータである。
【００７０】
本変形例では、Ｓ３４０、Ｓ３５０、Ｓ３６０によって、本発明の、第１の出力信号取得手段の機能が発現される。
次いで、Ｓ３７０で、ＡＦＥ５２内に備えた増幅器５２ａを介して、画像信号出力端子１７、１９、２１から出力される出力電圧の利得を第１のゲインより大きい所定の第２のゲインに設定する。
【００７１】
次いで、Ｓ３８０で、白板６３での反射光を、読取モジュール１の光電変換素子に光がはいらないようにマスキング（Ｌｉｇｈｔ  Ｓｈｉｅｌｄ）した領域に備えた光電変換素子によって読み取り、この際に画像信号出力端子１７、１９、２１から出力される電圧値を黒レベルのデータとしてＡＦＥ５２内に取得する。
【００７２】
次いで、Ｓ３９０で、ＡＦＥ５２内に取得した黒レベルのデータによりオフセット調整を行い、白板６３での反射光を、読取モジュール１におけるマスキングがなく光を検知する領域で読み取り、この際に画像信号出力端子１７、１９、２１から出力される電圧値をＡＦＥ５２内に白レベルのデータＨ２（Ｈ１と同様に、所謂、この白レベルのデータＨ２が、結果として、白レベルと黒レベルの、画像信号の電圧値の差を表す第２出力信号電圧差である）として取得する。尚、黒レベルデータと異なり、白レベルデータは読取範囲の１ライン分全ての画素に関するデータである。
【００７３】
本変形例では、Ｓ３７０、Ｓ３８０、Ｓ３９０によって、本発明の、第２の出力信号取得手段の機能が発現される。
次いで、Ｓ４００で、Ｓ３９０で取得した白レベルのデータＨ２からＳ３６０で取得した白レベルのデータＨ１を減算し、この値（Ｈ２−Ｈ１）を、接続不良を検出するために予め定められた所定電圧値Ｙと比較し接続不良の有無を判定する。
【００７４】
次いで、Ｓ４００で、（Ｈ２−Ｈ１）が所定電圧値Ｙ以上のときは、即ち、全画素分の（Ｈ２−Ｈ１）のうち、例えば３分の２以上とか４分の３以上のデータが所定電圧値Ｙ以上のときは、接続不良検出装置は装置コネクタ６１とコネクタ４との間には接続不良がなく、正常な画像の読取ができると判断するので、Ｓ０８に移り、ユーザからの指令信号が外部のインタフェイスを介して入力されるまで、待機状態を維持する。
Ｓ４１０に移り、コネクタ４と装置コネクタ６１との接続不良がなく、正常な画像の読取ができるので、ユーザからの指令信号が外部のインタフェイスを介して入力されるまで、待機状態を維持する。
【００７５】
また、Ｓ４００で、（Ｈ２−Ｈ１）が所定電圧値Ｙより小さいときは、即ち、全画素分のＨ２−Ｈ１のうち、例えば３分の１や４分の１より多いデータが所定電圧値Ｙより小さいときは、Ｓ４２０に移り、エラー処理を行う。このエラー処理は、図５のフローチャートに示す手順で行われる。
【００７６】
そして、本変形例におけるＣＰＵ５５による、接続不良を検出する制御処理手順を終える。
以下に、前記変形例の、接続不良検出装置及び接続不良検出方法の作用効果を記載する。
【００７７】
前記変形例によれば、コネクタ４と装置コネクタ６１の接続不良が発生すると、コネクタ４の画像信号出力端子１７、１９、２１から出力される白の画像信号と黒の画像信号の電圧差は、ゲインを変化させても正常時に較べ変化が少ないので、相異なるゲインで取得した第１出力信号電圧差と第２出力信号電圧差とを予め定められた所定値と比較することによって、コネクタ４の傾きによる接続不良を検出できる。
【００７８】
尚、本発明の実施の形態によれば、黒レベルの画像信号を検出するにあたり、白板６３に光を照射し、その反射光を、読取モジュール１の光電変換素子に光がはいらないようにマスキングしたＬｉｇｈｔ  Ｓｈｉｅｌｄ領域に備えた光電変換素子によって読み取り、この際に画像信号出力端子１７、１９、２１から出力される電圧値を黒レベルのデータとして取得したが、白板６３に換えて黒板を用い、この黒板から反射される反射光を、読取モジュール１のマスキングがなく光を検知する領域で読み取り、黒レベルの画像信号としても良い。
【００７９】
また、本発明の実施の形態によれば、読取モジュール１は、画像信号出力端子１７、１９、２１を青（Ｂ）、緑（Ｇ）、赤（Ｒ）の順に画像信号を出力するものとしたが、この画像信号順に制約されるものでなく、コネクタ間の接続不良をより確実に検出できるように、画像信号順を変えてもよい。また、青（Ｂ）、緑（Ｇ）、赤（Ｒ）の他に黒（Ｋ）を加えても良い。
【００８０】
また、本発明の実施の形態によれば、制御装置５１と読取モジュール１との電気的接続を得るために、装置コネクタ６１側にケーブル６２を備え、読取モジュール１に固設したコネクタ４に装置コネクタ６１を嵌合させたが、読取モジュール１のコネクタ４側にケーブル６２を備え、制御装置５１に固設した装置コネクタ６１にコネクタ４を嵌合させて電気的接続を得る構成にしてもよい。
【００８１】
また、ケーブル６２の両端にコネクタを備えた中継コネクタを備え、この中継コネクタにおけるケーブルの両端のコネクタを、読取モジュール１に固設したコネクタ４及び制御装置５１に固設した装置コネクタ６１に嵌合させて電気的接続を得る構成にしてもよい。
【００８２】
また、上記の実施の形態によれば、白板６３を用いて黒レベルのデータと白レベルのデータを取得したが、白板６３と図示しない黒板の両方を用いても接続不良を検出できる。その際には、図６におけるＳ３５０、Ｓ３６０で、白板６３に換えて黒板を用い、Ｓ３５０で黒レベルのデータを取得し、Ｓ３６０で、黒レベルのデータでオフセットして、黒板での反射光を、読取モジュール１におけるマスキングがなく光を検知する領域で読み取り白レベルデータＨ１として取得する（所謂、この白レベルのデータＨ１が、白レベルと黒レベルの、画像信号の電圧値の差を表す第１出力信号電圧差である）。次いで、Ｓ３８０、Ｓ３９０で、前述の変形例と同じように、白板６３を用いて白レベルのデータＨ２（所謂、この白レベルのデータＨ２が、白レベルと黒レベルの、画像信号の電圧値の差を表す第２出力信号電圧差である）として取得する。次いで、Ｓ４００において（Ｈ２−Ｈ１）を、接続不良を検出するために予め定められた所定電圧値Ｙと比較し接続不良の有無を判定する。尚、Ｓ３７０で第２のゲインに増幅したが、黒板と白板の両者を用いれば、Ｈ１とＨ２との差を明確に判定できるので、Ｓ３７０における第２のゲインの設定を不要にすることもできる。
【図面の簡単な説明】
【図１】本発明が適用された実施例の、読取モジュールの構成を表すブロック図である。
【図２】本発明が適用された実施例の、制御装置の構成を表すブロック図である。
【図３】実施例の制御装置のＣＰＵにて実行される接続不良の検出処理を表すフローチャートである。
【図４】図３の検出処理で実行されるモード設定処理の詳細を表すフローチャートである。
【図５】図３の検出処理で実行されるエラー処理の詳細を表すフローチャートである。
【図６】本発明が適用された変形例の、ＣＰＵにて実行される接続不良の検出処理を表すフローチャートである。
【図７】本実施例の制御装置５１を備えた多機能装置７１の画像読取部の構成を表す図である。
【符号の説明】
１…読取モジュール、２…光源、３…光電変換部、４…コネクタ、５…インバータ、６…バッファ、８，１２，１４…電源端子、９，１１，１３，１５…グランド端子、１７，１９，２１…画像信号出力端子、２２…複数の端子、３５，３５ａ，３５ｂ…ガラス、５１…制御装置、５２…ＡＦＥ（Ａｎａｌｏｇ  Ｆｒｏｎｔ  Ｅｎｄ）、５２ａ…増幅器、５３…読取制御部、５４…メモリ制御部、５５…ＣＰＵ、５６…ＲＡＭ（メモリ）、５７…ＥＥＰＲＯＭ、５８…記録制御部、５９…通信制御部、６０…ＡＳＩＣ、６１…装置コネクタ、６２…ケーブル、６３…白板、６４…表示器、６５…操作パネル、７１…多機能装置、７２…カバー、７３…ミラー、７４…原稿押さえカバー、７５…ＡＤＦ（Ａｕｔｏ  Ｄｏｃｕｍｅｎｔ  Ｆｅｅｄｅｒ）。
【図１】
2004215177.tif 000003
【図２】
2004215177.tif 000004
【図３】
2004215177.tif 000005
【図４】
2004215177.tif 000006
【図５】
2004215177.tif 000007
【図６】
2004215177.tif 000008
【図７】
2004215177.tif 000009